(57)【要約】【課題】玉詰まりの解消のために既存の設備を改変する必要が無く、パチンコ遊技機への玉供給経路における様々な個所に簡単に取り付けられ、玉詰まりの発生を確実に検出し玉供給経路の何処でも必要とする個所の玉詰まりを解消することができる装置を提供する。【解決手段】パチンコ玉の詰まりの発生を検出する玉詰まり検出器として、検出位置をパチンコ玉が通過しない状態を検知して検出信号を出力する高周波発振型近接センサ１２を使用し、近接センサ、および、近接センサから出力される検出信号により玉供給経路における構成部材の壁面に振動を付与する加振器１４を１つの筐体１６内に収納し一体化して玉詰まり解消装置１０を構成する。【選択図】図１
0003234255.tif 000002
【実用新案登録請求の範囲】
【請求項１】
パチンコ遊技機へパチンコ玉を供給する玉供給経路の適所に設置され、パチンコ玉の詰まりが発生したことを検出する玉詰まり検出器と、この玉詰まり検出器から出力される検出信号により玉供給経路における構成部材の壁面に振動を付与して玉詰まりを解消する加振器とからなる玉詰まり解消装置において、
前記玉詰まり検出器として、その検出位置をパチンコ玉が通過しない状態を検知して検出信号を出力する高周波発振型近接センサを使用し、その高周波発振型近接センサおよび前記加振器を１つの筐体内に収納して一体化したことを特徴とする、パチンコ遊技機への玉供給経路における玉詰まり解消装置。
【請求項２】
前記加振器は、直流ギヤードモータの出力回転軸に分銅を偏心して取着したバイブレーションモータである請求項１に記載の、パチンコ遊技機への玉供給経路における玉詰まり解消装置。
【請求項３】
前記筐体内に、玉供給経路を流動するパチンコ玉の通路と構成部材の壁面を介して検出面が対向するように前記高周波発振型近接センサを配置するとともに、その高周波発振型近接センサの背面側に積み重ねるように前記加振器を配置した請求項１または請求項２に記載の、パチンコ遊技機への玉供給経路における玉詰まり解消装置。
【請求項４】
前記高周波発振型近接センサから検出信号が出力されて一定時間が経過した後に前記加振器が駆動されるように制御する制御回路を備えた、請求項１ないし請求項３のいずれかに記載の、パチンコ遊技機への玉供給経路における玉詰まり解消装置。
【請求項５】
前記加振器が所定の短時間だけ駆動されるように制御する制御回路を備えた、請求項１ないし請求項４のいずれかに記載の、パチンコ遊技機への玉供給経路における玉詰まり解消装置。
【請求項６】
前記高周波発振型近接センサから検出信号が継続して出力されている時間内において、前記加振器が短時間駆動された後、駆動を停止し、短時間待機した後、再び駆動し、断続的にこの駆動および駆動停止を繰り返すように制御する制御回路を備えた、請求項１ないし請求項５のいずれかに記載の、パチンコ遊技機への玉供給経路における玉詰まり解消装置。
【請求項７】
前記加振器が断続的に駆動および駆動停止を繰り返す回数を任意に設定する設定回路を備えた、請求項６に記載の、パチンコ遊技機への玉供給経路における玉詰まり解消装置。
【請求項８】
前記高周波発振型近接センサからの検出信号の出力が停止した時点で前記加振器の駆動が停止するように制御する制御回路を備えた、請求項６または請求項７に記載の、パチンコ遊技機への玉供給経路における玉詰まり解消装置。
【請求項９】
前記加振器とは別に、前記高周波発振型近接センサから出力される検出信号により玉供給経路における構成部材の壁面に振動を付与する１つもしくは複数個の加振器を備え、その加振器を前記加振器とは異なる個所に設置するようにした請求項１ないし請求項８のいずれかに記載の、パチンコ遊技機への玉供給経路における玉詰まり解消装置。
【請求項１０】
前記高周波発振型近接センサから出力される検出信号により前記加振器が駆動されても玉詰まりが解消されずに、高周波発振型近接センサの検出信号が出力されてから一定時間以上継続して検出信号が出力されたときに、警報信号を出力するように制御する制御回路を備えた請求項１ないし請求項５のいずれかまたは請求項９に記載の、パチンコ遊技機への玉供給経路における玉詰まり解消装置。
【請求項１１】
前記高周波発振型近接センサから検出信号が継続して出力されている時間内において、前記加振器が断続的に駆動および駆動停止を所定の回数繰り返しても、玉詰まりが解消されないときに、警報信号を出力するように制御する制御回路を備えた請求項６ないし請求項８のいずれかに記載の、パチンコ遊技機への玉供給経路における玉詰まり解消装置。
【考案の詳細な説明】
【技術分野】
【０００１】
この考案は、パチンコ遊技機へパチンコ玉を供給する経路の途中において何らかの原因によりパチンコ玉の滞留（玉詰まり）が発生しても、人手を介さず速やかに玉詰まりの状態を解消して、パチンコ遊技機へパチンコ玉を定常的に安定供給することができるようにする玉詰まり解消装置に関する。
【背景技術】
【０００２】
パチンコ遊技場には多数のパチンコ遊技機が設置されており、それら多数の遊技機に玉供給経路を通ってパチンコ玉が供給され、遊技機から排出されるパチンコ玉は玉回収経路を通って玉洗浄研磨機に回収され、玉洗浄研磨機で洗浄研磨されたパチンコ玉は再び玉供給経路に投入される。このように、玉供給経路、遊技機、玉回収経路および玉洗浄研磨機の間をパチンコ玉は循環しながら常に流動している。図２１に、パチンコ遊技場全体におけるパチンコ玉の流れを説明するための概略図を示し、図２２に、パチンコ遊技場におけるパチンコ玉の詳細な流れを説明するためのブロック図を示す。また、図２３に、パチンコ玉の玉供給路からパチンコ遊技機の上部玉受け皿へのパチンコ玉の供給の流れを説明するための部分平面図を、図２４に、その側面断面図をそれぞれ示す。
【０００３】
図２１に示すように、一般的なパチンコ遊技場には、数十台の遊技機６０を設置したブロック（「島」と呼ばれる）６２が複数設けられている。パチンコ玉は、その流れを実線・矢印で示すように、遊技場内に敷設された樋状の玉供給路６４を通って各島６２にそれぞれ流入し島６２の個々の遊技機６０に供給される。遊技機６０に供給され遊技に使用されたパチンコ玉は、その流れを鎖線・矢印で示すように、遊技機６０から排出されて樋状の玉回収路６６に流入し、各島６２からそれぞれ流出するパチンコ玉が合流して回収される。そして、遊技に使用されたパチンコ玉は、多くの人の手に触れて不衛生であり、また、静電気を帯びて塵埃を吸着し汚染されているので、玉回収路６６を通って回収されたパチンコ玉を洗浄研磨する玉洗浄研磨機６８が設置されている。玉回収路６６を通って回収され玉洗浄研磨機６８で洗浄研磨されたパチンコ玉は、再び玉供給路６４に投入され、循環使用される。
【０００４】
玉供給路６４からパチンコ遊技機６０へのパチンコ玉の供給は、以下のようにして行われる。
図２２に示すように、また、図２３および図２４に矢印で示すように、樋状の玉供給路６４をその傾斜に従って流動してきたパチンコ玉は、玉供給路６４の側壁に形設された分岐用切欠き孔７０を通って分岐分配ユニット７２内に流入する。分岐分配ユニット７２内に流入したパチンコ玉は、玉重なり防止分銅７４の直下を通過する際に平された後、玉送出口７６に向かって流動する。そして、パチンコ玉は、分岐分配ユニット７２から玉送出口７６を通って密着スプリングパイプ７８内へ流動し、密着スプリングパイプ７８を通ってパチンコ遊技機６０の上部玉受け皿８０内へ流下し、上部玉受け皿８０内に貯留される。上部玉受け皿８０内に貯留されたパチンコ玉は、適宜、上部玉受け皿の最下流位置に形設された玉取入れ口８２（図２３および図２４には図示せず）から玉滞留部８４を経て玉発射ハンマー部８６へ垂直に落下し、玉発射ハンマー部を介してゲーム盤面８８へ投入される。ゲーム盤面８８で遊技に使用されたパチンコ玉は、パチンコ遊技機６０から排出されて玉回収路６６内へ流入する。
【０００５】
ここで、樋状の玉供給路６４は、遊技場の広い店内を長い距離に渡ってパチンコ玉を流動させるので、また、パチンコ遊技機上部と屋内天井との間のスペースの制約もあるので、それほど大きな勾配をとれず、玉供給路６４の傾斜角度は非常に小さくならざるを得ない。パチンコ玉は、そのような緩い傾斜状態の玉供給路６４を重力に従って自然に回転しながら流動していく。また、パチンコ玉の供給経路中には、通路の幅が広い個所から狭い個所に変化する部位や、転動するパチンコ玉の進行方向が大きく屈曲する部位、それらの変化が複合的に生じる部位などがあり、パチンコ玉は、そのような部位を重力による自然の力で転動しながら通過し落下していく。このため、供給経路の途中で、パチンコ玉同士が上下方向に重なり合ったり進行方向にアーチ状に連なったりする、といったようなことが起こる。この結果、玉供給路６４や玉供給路６４から分岐分配ユニット７２への分岐部位、パチンコ遊技機６０の上部玉受け皿８０など、供給経路の広範囲に渡り多くの部位でパチンコ玉の流れが止まり玉詰まりが発生することとなる。
【０００６】
玉詰まりが起こった場合、従前は、遊技場の従業者や遊技者自身が玉詰まりを起こした部位やその付近、パチンコ遊技機の一部に物理的衝撃を加える、といったことが行われていたが、それは玉詰まりを解消する確実な方法とはいえず、また、玉詰まりが解消されるまでに多くの時間がかかることもある。玉詰まりの状態が長時間続くと、遊技者の興趣を著しく削ぐことになり、また、遊技場側と遊技者とのトラブルの原因ともなる。そこで、玉詰まりを自動的に解消するための技術が種々提案されている。
【０００７】
例えば、パチンコ機にパチンコ玉を供給する供給路における蛇腹に光通過間隙を設け、光通過間隙の一方に発光部（発光ダイオード）を配置し他方に受光部（受光トランジスタ）を配置して構成された玉詰まり検出器と、出力軸の先端部にアンバランスウェイトを取り付けた加振モータを蛇腹の外周面に沿って密着固定して構成された玉詰まり解消部とを備え、玉詰まりが発生したときに玉詰まり検出器により蛇腹の内部にパチンコ玉が存在しなくなった状態が検出され、その玉詰まり検出信号が玉詰まり解消部に送信されて加振モータが回転し、その振動が蛇腹に伝達され、蛇腹が揺すられることにより玉詰まりが解消されるようにした玉詰まり検出・解消装置が提案されている（例えば、特許文献１参照。）。また、各パチンコ台の上方に配置されパチンコ玉の揚送装置に接続された玉供給樋、この玉供給樋にパチンコ台ごとに設置された分配樋、この分配樋に接続された第１コイルホース、このコイルホースの下端部に上端部が接続された本体部、および、この本体部の下端部に上端部が接続され下端部がパチンコ台の玉補給装置に接続された第２コイルホースから構成され、パチンコ玉の揚送装置からパチンコ台の玉補給装置にパチンコ玉を供給するパチンコ玉供給装置において、前記本体部に、その内部の玉通過路をパチンコ玉が通過するときに本体部が振動してパチンコ玉供給装置に振動を付与する振動付与手段として段差部を設け、加振モータ等の加振手段を別途備えなくても、パチンコ玉供給装置における玉詰まりを解消することができるようにした発明が提案されている（例えば、特許文献１参照。）。
【先行技術文献】
【特許文献】
【０００８】
【特許文献１】特開２００５−６５８３４号公報（第６−７頁、図２および図５）
【特許文献２】特許第５７５２５５３号公報（第３−４頁、図１および図２）
【考案の概要】
【考案が解決しようとする課題】
【０００９】
パチンコ遊技場において使用されるパチンコ玉は、プラスチック材料で形成された樋状の玉供給路や各種機構部材を経由し長い距離を流動してパチンコ遊技機に供給され遊技に使用される。また、パチンコ玉は、パチンコ遊技機への玉供給過程で玉同士がぶつかって擦れ合ったり玉供給経路中の機構部材に転接して摩擦を生じたりしながら流動する。この結果、玉供給経路中におけるパチンコ玉は、数万ボルトといった高電位の静電気を帯びる。また、特に冬場のように空気が乾燥した状態では、毛織物や化学繊維などの衣服を着用した遊技者の動作に伴い、人体でも高電位の静電気が発生し、遊技者がパチンコ玉に触れることにより、高電位の電荷がパチンコ玉に移行してパチンコ玉を帯電させる。玉供給過程で静電気を帯びたパチンコ玉は、遊技場内に大量に浮遊する周辺の塵埃を引き寄せて周囲に収集し玉表面に付着させる。また、人体で発生した静電気も、パチンコ玉を介して、浮遊する周辺の塵埃をパチンコ玉に引き寄せてパチンコ玉表面に付着させる。このように玉供給経路においては、周辺に浮遊する塵埃が静電気によりパチンコ玉に引き寄せられ、パチンコ玉の周囲には塵埃が充満した状態となっている。
【００１０】
上記したように、玉供給経路におけるパチンコ玉の周囲には塵埃が充満した状態となっているため、特許文献１に記載されたように、光電センサを用いた玉詰まり検出器によって玉詰まりの発生を検出する方式では、経路（蛇腹の内部）にパチンコ玉が存在しなくなった状態を検出することができない恐れがある。また、玉供給経路におけるパチンコ玉の周囲に充満した塵埃が光電センサの検出面を覆うと、検出が不安定になったり検出が困難になったりする。玉詰まりの発生を検出することができなければ、玉詰まりが解消されることもない。また、図２２等により説明したように、パチンコ玉の流れが止まり玉詰まりの発生する部位は、玉供給経路中において様々な個所に存在するが、特許文献２に記載された発明を適用することができる個所は限られている。さらに、特許文献２に記載された技術を利用するためには、既存の設備の一部を改変しなければならない、といった問題点がある。
【００１１】
この考案は、以上のような事情に鑑みてなされたものであり、玉詰まりの解消のために既存の設備を改変する必要が無く、パチンコ遊技機への玉供給経路における様々な個所に簡単に取り付けることができ、パチンコ玉の玉詰まりの発生を確実に検出し玉供給経路の何処でも必要とする個所の玉詰まりを解消することができる玉詰まり解消装置を提供することを目的とする。
【課題を解決するための手段】
【００１２】
この考案では、上記目的を達成するために、玉詰まり検出器として光電方式や磁気方式の検出センサを用いないことにし、また、玉詰まり検出器と玉詰まり解消のための器具とを１つのユニットとして構成した。
すなわち、請求項１に係る考案は、パチンコ遊技機へパチンコ玉を供給する玉供給経路の適所に設置され、パチンコ玉の詰まりが発生したことを検出する玉詰まり検出器と、この玉詰まり検出器から出力される検出信号により玉供給経路における構成部材の壁面に振動を付与して玉詰まりを解消する加振器とからなる玉詰まり解消装置において、前記玉詰まり検出器として、その検出位置をパチンコ玉が通過しない状態を検知して検出信号を出力する高周波発振型近接センサを使用し、その高周波発振型近接センサおよび前記加振器を１つの筐体内に収納して一体化したことを特徴とする。
【００１３】
請求項２に係る考案は、請求項１に記載の玉詰まり解消装置において、加振器として、直流ギヤードモータの出力回転軸に分銅を偏心して取着したバイブレーションモータを用いたことを特徴とする。
【００１４】
請求項３に係る考案は、請求項１または請求項２に記載の玉詰まり解消装置において、筐体内に収納される高周波発振型近接センサを、玉供給経路を流動するパチンコ玉の通路と構成部材の壁面を介して検出面が対向するように配置し、その高周波発振型近接センサの背面側に積み重ねるように加振器を配置して筐体内に収納したことを特徴とする。
【００１５】
請求項４に係る考案は、請求項１ないし請求項３のいずれかに記載の玉詰まり解消装置において、制御回路により、高周波発振型近接センサから検出信号が出力されて一定時間が経過した後に加振器が駆動するように制御されることを特徴とする。
【００１６】
請求項５に係る考案は、請求項１ないし請求項４のいずれかに記載の玉詰まり解消装置において、制御回路により、加振器が所定の短時間だけ駆動するように制御されることを特徴とする。
【００１７】
請求項６に係る考案は、請求項１ないし請求項５のいずれかに記載の玉詰まり解消装置において、制御回路により、高周波発振型近接センサから検出信号が継続して出力されている時間内において、加振器が短時間駆動された後、駆動を停止し、短時間待機した後、再び駆動し、断続的にこの駆動および駆動停止を繰り返すように制御されることを特徴とする。
【００１８】
請求項７に係る考案は、請求項６に記載の玉詰まり解消装置において、設定回路により、加振器が断続的に駆動および駆動停止を繰り返す回数が任意に設定されることを特徴とする。
【００１９】
請求項８に係る考案は、請求項６または請求項７に記載の詰まり解消装置において、制御回路により、高周波発振型近接センサからの検出信号の出力が停止した時点で加振器の駆動が停止するように制御されることを特徴とする。
【００２０】
請求項９に係る考案は、請求項１ないし請求項８のいずれかに記載の玉詰まり解消装置において、高周波発振型近接センサと共に筐体内に収納された加振器とは別に、前記高周波発振型近接センサから出力される検出信号により玉供給経路における構成部材の壁面に振動を付与する１つもしくは複数個の加振器を備え、その加振器を前記加振器とは異なる個所に設置するようにしたことを特徴とする。
【００２１】
請求項１０に係る考案は、請求項１ないし請求項５のいずれかまたは請求項９に記載の玉詰まり解消装置において、高周波発振型近接センサから出力される検出信号により加振器が駆動されても玉詰まりが解消されずに、高周波発振型近接センサの検出信号が出力されてから一定時間以上継続して検出信号が出力されたときに、制御回路により警報信号を出力するように制御されることを特徴とする。
【００２２】
請求項１１に係る考案は、請求項６ないし請求項８のいずれかに記載の玉詰まり解消装置において、高周波発振型近接センサから検出信号が継続して出力されている時間内において、加振器が断続的に駆動および駆動停止を所定の回数繰り返しても、玉詰まりが解消されないときに、制御回路により警報信号を出力するように制御されることを特徴とする。
【考案の効果】
【００２３】
請求項１に係る考案の玉詰まり解消装置においては、玉詰まり検出器として高周波発振型近接センサを使用しているので、玉供給経路を流れるパチンコ玉の周囲に塵埃が充満した状態であっても、その影響を受けることなくパチンコ玉の有無を検出することができる。また、パチンコ遊技機には、音響効果を利用して遊技者の興趣や高揚感を高めるために強力な磁力を持つスピーカが内蔵され、また、パチンコ玉の通過口を制御するソレノイドも多用されており、それらの機器から多大な電磁気が放出されているが、その電磁ノイズの影響を受けることなくパチンコ玉の有無を検出することができる。また、高周波発振型近接センサおよび加振器が１つの筐体内に収納されて一体化しているので、その筐体を玉供給経路における構成部材の壁面に取着するだけでよい。
したがって、この玉詰まり解消装置を使用すると、パチンコ玉の玉詰まりの発生を確実に検出し玉供給経路の何処でも必要とする個所の玉詰まりを解消することができ、玉詰まりの解消のために既存の設備を改変する必要も無い。そして、この玉詰まり解消装置は、玉供給経路における様々な個所に簡単に取り付けることができる。
【００２４】
請求項２に係る考案の玉詰まり解消装置では、加振器のモータの回転数がギヤーにより減少させられて出力回転軸の回転トルクが大きくなり、振幅が大きくなって、振動衝撃力が大きくなるので、玉供給経路における構成部材の壁面に確実に振動を付与することができる。
【００２５】
請求項３に係る考案の玉詰まり解消装置では、高周波発振型近接センサの背面側に積み重ねるように加振器が配置されて高周波発振型近接センサおよび加振器が筐体内に収納され、装置全体を小型化することができるので、それほど取付スペースの無い個所にも装置を取り付けることができる。
【００２６】
請求項４に係る考案の玉詰まり解消装置では、玉詰まりを起こしかけて直ぐに正常な状態に戻ったような場合に、加振器を無駄に駆動させなくて済む。
【００２７】
請求項５に係る考案の玉詰まり解消装置では、加振器を必要以上に長く駆動させなくて済む。
【００２８】
請求項６に係る考案の玉詰まり解消装置では、加振器が断続的に駆動および駆動停止を繰り返すことにより、玉詰まりがより効果的に解消される。
【００２９】
請求項７に係る考案の玉詰まり解消装置では、玉詰まりを解消するために必要以上の回数、加振器が駆動および駆動停止を繰り返すことを避けることができる。
【００３０】
請求項８に係る考案の詰まり解消装置では、玉詰まりが解消したにも拘わらず加振器が駆動されている、といった事態を避けることができる。
【００３１】
請求項９に係る考案の玉詰まり解消装置では、１つの高周波発振型近接センサから出力される検出信号により玉供給経路における構成部材の壁面の複数個所に同時にまたは時間をずらして振動を付与することができるので、より確実に玉詰まりを解消することができる。
【００３２】
請求項１０に係る考案の玉詰まり解消装置では、加振器により玉供給経路における構成部材の壁面に振動を付与して近接センサの信号出力から一定時間経過しても玉詰まりが解消されないときに、警報により直ちに遊技場の従業者が対応することが可能になる。
【００３３】
請求項１１に係る考案の玉詰まり解消装置では、加振器により玉供給経路における構成部材の壁面に断続的な振動を付与して加振器の駆動および駆動停止を所定の回数繰り返しても玉詰まりが解消されないときに、警報により直ちに遊技場の従業者が対応することが可能になる。
【図面の簡単な説明】
【００３４】
【図１】この考案の実施形態の１例を示し、（ａ）は、パチンコ遊技機への玉供給経路における玉詰まり解消装置を側方から見た縦断面図であり、（ｂ）は、それを正面から見た縦断面図である。
【図２】図１に示した玉詰まり解消装置の構成要素である玉詰まり検出器の構成例を示し、高周波発振型近接センサを側方から見た縦断面図である。
【図３】図２に示した高周波発振型近接センサの回路構成の１例を示すブロック図である。
【図４】図１に示した玉詰まり解消装置の取付け態様の１例を示し、樋状の玉供給路を正面から見た概略縦断面図である。
【図５】図１に示した玉詰まり解消装置の取付け態様の別の例を示し、樋状の玉供給路を正面から見た概略縦断面図である。
【図６】図１に示した玉詰まり解消装置の回路構成の１例を示す図である。
【図７】図６に示した回路を有する玉詰まり解消装置における高周波発振型近接センサからの検出信号と加振器の駆動状態との関係を示すタイムチャートである。
【図８】図１に示した玉詰まり解消装置の回路構成の別の例を示す図である。
【図９】図８に示した回路を有する玉詰まり解消装置における高周波発振型近接センサからの検出信号と加振器の稼働状態との関係の１例を示すタイムチャートである。
【図１０】同じく、高周波発振型近接センサからの検出信号と加振器の稼働状態との関係の別の例を示すタイムチャートである。
【図１１】同じく、高周波発振型近接センサからの検出信号と加振器の稼働状態との関係のさらに別の例を示すタイムチャートである。
【図１２】同じく、高周波発振型近接センサからの検出信号と加振器の稼働状態との関係のさらに別の例を示すタイムチャートである。
【図１３】同じく、高周波発振型近接センサからの検出信号と加振器の稼働状態との関係のさらに別の例を示すタイムチャートである。
【図１４】この考案の変形例を示し、玉詰まり解消装置における高周波発振型近接センサからの検出信号により加振器を駆動させる回数を設定するための回路を備えた実施形態を示す回路図である。
【図１５】図１４に示した回路を有する玉詰まり解消装置における高周波発振型近接センサからの検出信号と加振器の稼働状態との関係の１例を示すタイムチャートである。
【図１６】この考案の変形例を示し、玉詰まり解消装置における高周波発振型近接センサからの検出信号により複数の加振器を駆動させる実施形態を示す回路図である。
【図１７】同じく、玉詰まり解消装置における高周波発振型近接センサからの検出信号により複数の加振器を駆動させる別の実施形態を示す回路図である。
【図１８】図１７に示した回路を有する玉詰まり解消装置における高周波発振型近接センサからの検出信号と複数の加振器の稼働状態との関係を示すタイムチャートである。
【図１９】この考案の変形例を示し、玉詰まり解消装置における高周波発振型近接センサから検出信号が出力され続けているときに警報信号を出力する実施形態を示すタイムチャートである。
【図２０】この考案の別の変形例を示し、玉詰まり解消装置における高周波発振型近接センサからの検出信号により加振器を駆動させても玉詰まりが解消されないときの、近接センサからの検出信号と加振器の駆動・停止動作と警報信号との関係を示すタイムチャートである。
【図２１】パチンコ遊技場全体におけるパチンコ玉の流れを説明するための概略図である。
【図２２】パチンコ遊技場におけるパチンコ玉の詳細な流れを説明するためのブロック図である。
【図２３】パチンコ玉の玉供給路からパチンコ遊技機の上部玉受け皿へのパチンコ玉の供給の流れを説明するための部分平面図である。
【図２４】同じく、パチンコ玉の供給の流れを説明するための部分側面断面図である。
【考案を実施するための形態】
【００３５】
以下、この考案の好適な実施形態について図面を参照しながら説明する。
図１の（ａ）および（ｂ）に示すように、この考案に係るパチンコ遊技機への玉供給経路における玉詰まり解消装置１０は、パチンコ玉の詰まりが発生したことを検出する玉詰まり検出器として機能する高周波発振型近接センサ１２、および、この近接センサ１２から出力される検出信号により玉供給経路における構成部材の壁面に振動を付与して玉詰まりを解消する加振器１４を備えて構成されている。近接センサ１２と加振器１４とは、一面が開口面１８に形成された筐体１６内に収納されて一体化され、１つのユニットとなっている。近接センサ１２は、検出面をなす開口面１８を臨むように筐体１６の内部に配置され、近接センサ１２の背面側に積み重ねるように加振器１４が配置されている。
【００３６】
加振器１４は、１例として、ギヤーユニット部２２を有して低回転および高トルクを発生する直流ギヤードモータ２０の出力回転軸２４に分銅２６を偏心して取着したバイブレーションモータで構成されている。高周波発振型近接センサ１２は、図２に示すように、ケース２８内に、フェライトコア３０にコイルボビン３２を介して巻装された発振コイル３４、発振コイル３４が電気接続されたプリント基板３６、プリント基板３６に実装された電子パーツ３８、外部電源と接続されるコネクタ４０などを収納し、検出面となる開口部をカバーで覆蓋した構造を有している。また、図３に示すように、近接センサ１２は、発振コイル３４が接続される高周波発振回路４２、発振ゲインレベル弁別回路４４、スイッチング回路４６およびパワー増幅出力回路４８を備えて回路構成されている。この高周波発振型近接センサ１２により、検出面側を通過するパチンコ玉の接近を非接触で検知しパチンコ玉の存否が検出される。そして、近接センサ１２は、その検出位置をパチンコ玉が通過しない状態を検知して検出信号を出力する。
【００３７】
玉詰まり解消装置１０は、パチンコ遊技機へパチンコ玉を供給する玉供給経路の適所、すなわち玉詰まりが発生しやすい個所に設置される。玉供給経路における構成部材の壁面への玉詰まり解消装置の取付けは、例えば樋状の玉供給路への取付けは、次のようにして行う。すなわち、図４に示すように、パチンコ玉の流動方向と直交する方向において底壁面５２が僅かに傾斜するように敷設された樋状玉供給路５０の、低くなった片側の側壁面５４の外面に玉詰まり解消装置１０を、その検出面が壁面と対向するように取着する。また、図５に示すように、玉詰まり解消装置１０を樋状玉供給路５０の底壁面５２外面の、低くなった片側の側壁面５４側に検出面が壁面と対向するように取着する。
【００３８】
次に、高周波発振型近接センサ１２から出力される検出信号により加振器１４を駆動させて玉詰まりを解消する動作について説明する。
図６に回路構成を示す玉詰まり解消装置において、玉供給経路内をパチンコ玉が正常に流れているときは、近接センサ１２から信号が出力されず、加振器１４は駆動せずに停止している。玉供給経路においてパチンコ玉の流れに滞りが生じて玉詰まりが発生し、玉詰まり解消装置の設置個所にパチンコ玉が流れて来なくなると、近接センサ１２がその状態を検知し、図７の（ａ）に示すように、近接センサ１２から検出信号が出力される。近接センサ１２から出力された検出信号は加振器１４へ送られ、図７の（ｂ）に示すように、加振器１４が駆動される。加振器１４が駆動され、玉供給経路における構成部材の壁面に振動が付与されることにより、玉詰まりが解消してパチンコ玉の流れが正常に戻ると、近接センサ１２からの信号出力が無くなり、検出信号が加振器１４に入力されなくなることにより、加振器１４の駆動が停止する。以下、玉詰まりが発生するごとに、この動作が繰り返される。
【００３９】
次に、図８に回路構成を示す玉詰まり解消装置において、玉供給経路内をパチンコ玉が正常に流れているときは、近接センサ１２から信号が出力されず、加振器１４は駆動せずに停止している。玉供給経路においてパチンコ玉の流れに滞りが生じて玉詰まりが発生し、玉詰まり解消装置の設置個所にパチンコ玉が流れて来なくなると、近接センサ１２がその状態を検知し、図９の（ａ）に示すように、近接センサ１２から検出信号が出力される。近接センサ１２から出力された検出信号は、制御回路５６へ送られる。そして、制御回路５６から制御信号が加振器１４へ送られ、図９の（ｂ）に示すように、近接センサ１２から検出信号が出力されてから一定時間が経過した後に加振器１４が駆動されるように制御される。加振器１４が駆動され、玉供給経路における構成部材の壁面に振動が付与されることにより、玉詰まりが解消してパチンコ玉の流れが正常に戻ると、近接センサ１２からの信号出力が無くなり、制御回路５６により加振器１４の駆動が停止するように制御される。また、近接センサ１２から検出信号が出力されてから一定時間が経過する前に、玉詰まりが解消してパチンコ玉の流れが正常に戻り、近接センサ１２からの信号出力が無くなったときは、加振器１４を駆動させることなく停止させた状態のままにする。
【００４０】
図１０にタイムチャートを示した実施形態は、玉詰まりが発生して近接センサ１２から検出信号が出力されたときに、その信号出力から所定の短時間だけ加振器１４を駆動させるように、制御回路５６によって制御する例である。
【００４１】
図１１にタイムチャートを示した実施形態は、玉詰まりが発生して近接センサ１２から検出信号が継続して出力されている時間内において、すなわち、玉詰まりの状態が解消されずに継続している間、加振器１４を所定の短時間だけ駆動させた後、駆動を停止させ、所定の短時間待機した後に、再び加振器１４を駆動させ、この加振器１４の駆動および駆動停止を断続的に繰り返すように、制御回路５６によって制御する例である。
【００４２】
図１２にタイムチャートを示した実施形態は、図１１に示したものと同様に、玉詰まりが発生して近接センサ１２から検出信号が継続して出力されている時間内において、加振器１４の駆動および駆動停止を繰り返し、時間が経過するのに従って加振器１４の駆動時間を長くするように、制御回路５６によって制御する例である。
【００４３】
図１３にタイムチャートを示した実施形態も、図１１に示したものと同様に、玉詰まりが発生して近接センサ１２から検出信号が継続して出力されている時間内において、加振器１４の駆動および駆動停止を繰り返し、時間が経過するのに従って加振器１４から付与される振動衝撃力を大きくするように、制御回路５６によって制御する例である。
【００４４】
次に、図１４に回路構成を示したものは、図１１〜図１３にタイムチャートを示したように、近接センサ１２から検出信号が継続して出力されている時間内において加振器１４が駆動および駆動停止を繰り返す場合において、その繰り返し回数を設定する設定回路５８を備えた装置の構成例である。設定回路５８により、繰り返し回数を２回、４回、６回あるいは８回というように任意に設定しておき、制御回路５６により、玉詰まりが発生して近接センサ１２からの信号出力が継続している時間内において加振器１４の駆動および駆動停止を設定回数だけ繰り返すように制御される。
【００４５】
なお、図１４に回路構成を示した装置において、設定回路５８により、例えば４回、６回あるいは８回というように繰り返し回数を設定しておいた場合であっても、図１５にタイムチャートを示すように、玉詰まりが解消して近接センサ１２からの信号出力が無くなったときは、加振器１４の駆動および駆動停止の繰り返し回数が設定回数に達していなくても、その時点で直ちに加振器１４が駆動停止するように、制御回路５６により制御される。
【００４６】
次に、図１６および図１７に回路構成を示したものは、高周波発振型近接センサ１２とユニット化された加振器１４とは別に、玉供給経路における構成部材の壁面に振動を付与する加振器１４ａ〜１４ｅを備えた装置の構成例である。図示例の装置では、加振器１４とは別に設けられる加振器の個数を５個としているが、１つでもよいし６個以上であってもよい。複数個の加振器１４ａ〜１４ｅはそれぞれ、玉供給経路における構成部材の壁面に対し効果的に振動が付与されるように、加振器１４とは異なる個所に、かつ、相互に異なる個所に設置される。
【００４７】
図１６に回路構成を示した装置では、高周波発振型近接センサ１２から出力される検出信号が加振器１４ならびに５個の別の加振器１４ａ〜１４ｅに同時に送られ、加振器１４、１４ａ〜１４ｅが同時に駆動し駆動停止する。また、図１７に回路構成を示した装置では、制御回路５６から加振器１４ならびに５個の別の加振器１４ａ〜１４ｅにそれぞれ位相をずらして順次制御信号が送られ、図１８にタイムチャートを示すように、加振器１４、１４ａ〜１４ｅが順番に短時間ずつ駆動するように制御される。すなわち、図１８の（ａ）に示すように、玉詰まりが発生して高周波発振型近接センサ１２から検出信号が出力されると、まず、図１８の（ｂ）に示すように加振器１４が所定の単位時間駆動し、次に、図１８の（ｂ１）に示すように加振器１４ａが所定の単位時間駆動し、続いて、図１８の（ｂ２）に示すように加振器１４ｂが所定の単位時間駆動し、以後、近接センサ１２からの信号出力が継続している時間内において、図１８の（ｂ３）〜（ｂ５）に示すように、加振器１４ｃ〜１４ｅが順番に所定の単位時間ずつ駆動し、さらに、図１８の（ｂ）、（ｂ１）、（ｂ２）に示すように、加振器１４、１４ａ、１４ｂが順番に所定の単位時間ずつ駆動し、近接センサ１２からの信号出力が無くなった時点で、全て加振器１４、１４ａ〜１４ｅが駆動停止する。
【００４８】
次に、図１９にタイムチャートを示した実施形態は、（ａ）に示すように、高周波発振型近接センサ１２から検出信号が出力され、加振器１４が駆動されて玉供給経路における構成部材の壁面に振動が付与されても、何らかの機構的な異常事態の発生により近接センサ１２の検出位置にパチンコ玉が流れて来ず、近接センサ１２から検出信号が出力される状態が継続し、信号出力時点から一定時間ｔが経過したときに、（ｂ）に示すように、制御回路５６により警報信号が出力されるように制御する例である。この警報信号を用いてブザー等の警報音を発したり発光器を発光・点滅させたりして遊技場の従業者に報知し、従業者が異常事態に対処することができる。
【００４９】
図２０にタイムチャートを示した実施形態は、（ａ）に示すように、近接センサ１２から検出信号が継続して出力されている時間内において、（ｂ）に示すように、加振器１４が断続的に駆動および駆動停止を所定の複数回（図示例のものでは３回）繰り返しても、何らかの異常により近接センサ１２の検出位置にパチンコ玉が流れて来ないときに、（ｃ）に示すように、制御回路５６により警報信号が出力されるように制御する例である。この警報信号を用いてブザーや発光器などの警報器が作動される。
【産業上の利用可能性】
【００５０】
この考案は、パチンコ遊技場において、パチンコ遊技機へパチンコ玉を供給する経路の途中で玉詰まりが発生しても、人手を介さずに玉詰まりの状態を解消する技術に関するものであって、この考案に係る玉詰まり解消装置は、遊技場設備や精密電子部品の製造などの分野において利用されるものである。
【符号の説明】
【００５１】
１０  玉詰まり解消装置
１２  高周波発振型近接センサ
１４、１４ａ〜１４ｅ  加振器
１６  筐体１６
２０  直流ギヤードモータ
２６  分銅
５０  樋状玉供給路
５２  玉供給路の底壁面
５４  玉供給路の側壁面
５６  制御回路
５８  設定回路
【図１】
0003234255.tif 000003
【図２】
0003234255.tif 000004
【図３】
0003234255.tif 000005
【図４】
0003234255.tif 000006
【図５】
0003234255.tif 000007
【図６】
0003234255.tif 000008
【図７】
0003234255.tif 000009
【図８】
0003234255.tif 000010
【図９】
0003234255.tif 000011
【図１０】
0003234255.tif 000012
【図１１】
0003234255.tif 000013
【図１２】
0003234255.tif 000014
【図１３】
0003234255.tif 000015
【図１４】
0003234255.tif 000016
【図１５】
0003234255.tif 000017
【図１６】
0003234255.tif 000018
【図１７】
0003234255.tif 000019
【図１８】
0003234255.tif 000020
【図１９】
0003234255.tif 000021
【図２０】
0003234255.tif 000022
【図２１】
0003234255.tif 000023
【図２２】
0003234255.tif 000024
【図２３】
0003234255.tif 000025
【図２４】
0003234255.tif 000026